(57)【特許請求の範囲】
【請求項１】
丸太を植栽穴径より長く切断し、且つ丸太の直径を長さの１０分の１から５分の１程度に設定し、その端部から中央に略直径の長さで寄った位置の丸太に貫通孔(4)をあけ、その丸太を法面(1)の植栽をしようとする個所における横方向に配置すると共に、竹串を可とする頭部に鈎部がある木質アンカーピン(5)を丸太の貫通孔(4)に挿通して法面(1)に打ち込んで固定し、且つ固定した丸太の直上位置に植栽穴(6)を掘削した後、植生基盤材を法面(1)に吹付けて厚層基材吹付層(2)を形成し、且つ植栽穴部の厚層基材吹付層(2)を掘り取った後、苗木類(7)を植え込むと共に、掘り取った植生基盤材を埋め戻すようにしたことを特徴とする丸太による苗木植栽工法。
【発明の詳細な説明】
【産業上の利用分野】
本発明は丸太による苗木植栽工法に関するもので、急勾配の法面であっても植栽しようとする個所に丸太を設置することによって勾配が緩やかになるようにすると共に、植栽に必要な保水性を確保し、且つ法面の地盤の安定強化を図ることを目的とする。
【０００２】
【従来の技術】
法面の所定個所に植栽用穴を掘削し、これに苗木や草本類の植栽を行うことは、法面緑化工事として一般的に行われている。
【０００３】
【発明が解決しようとする課題】
ところが、法面に直接植栽穴を掘削して苗木等を植栽する工法は、急勾配の法面にあっては、雨水を一時的でも貯留することができないため、保水性が確保されず、且つ斜面の安定化にも課題があった。
【０００４】
【課題を解決するための手段】
そこで、本発明は上記従来の課題を解決し、発明の目的を達成するため提供するものである。本発明の第1は、丸太による苗木植栽工法において、丸太を植栽穴径より長く切断し、且つ丸太の直径を長さの１０分の１から５分の１程度に設定し、その端部から中央に略直径の長さで寄った位置の丸太に貫通孔をあけ、その丸太を法面の植栽をしようとする個所における横方向に配置すると共に、竹串を可とする頭部に鈎部がある木質アンカーピンを丸太の貫通孔に挿通して法面に打ち込んで固定し、且つ固定した丸太の直上位置に植栽穴を掘削した後、植生基盤材を法面に吹付けて厚層基材吹付層を形成し、且つ植栽穴部の厚層基材吹付層を掘り取った後、苗木類を植え込むと共に、掘り取った植生基盤材を埋め戻すようにしたものである。
【０００５】
本発明の第２は、第１の発明に係る丸太による苗木植栽工法において、間伐材を使用した丸太の長さを５０〜６０ｃｍにすると共に、丸太の直径を６〜１２ｃｍ程度に設定すると共に、丸太の端部から長さ方向の中央に寄った孔の位置を５〜１５ｃｍ程度に設定し、且つアンカ−ピンを竹串を可とする木質材料で製作したものである。
【０００６】
【実施例】
次に本発明の実施例を図面を以て説明する。図において、１は法面、２は厚層基材吹付層、３は間伐材を可とする丸太であり、長さＬ＝５０〜６０ｃｍ、端部の直径Ｒ＝６〜１２ｃｍ程度のものを用い、且つ丸太の両端から長さＬ１＝１０ｃｍ程度長さ方向の中央に寄った位置において直径方向に挿通するアンカーピン用孔４をあけてある。前記の孔径は１５〜２０ｃｍ程度を可とする。そして、この丸太を法面１の植栽をしようとする所定の個所に配置する。５は丸太の孔４に挿通するアンカーピンであり、当該丸太を法面１に打ち込んで固定する。当該アンカーピンは竹串を可とする木質材で作ると共に、竹の節部を利用して頭部に鈎部を成形し、且つ丸太の孔４に挿通する太さとし、且つその長さは４００ｃｍ程度に設定する。６は法面１に固定した丸太３の直上位置に掘削する埴栽穴、７は埴栽穴に植え込むための苗木類である。８は厚層基材吹付層２の中間に張設したラス、９はラス８を法面1に沿って張設するためのアンカーピン、１０は厚層基材吹付層２の表面に張設したネット、１１はネット張設用のアンカーピンを示す。
【０００７】
【具体的な使用例】
上記の実施例に基づく具体的な使用例を説明する。
（１）「厚層基材吹付工例」
▲１▼  丸太筋工設置＝法面１の植栽を使用とする個所に、丸太３を水平横方向に配置してアンカ−ピン５を孔４に挿通すると共に法面１に打ち込んで固定する。
▲２▼  植栽穴掘削（その１）＝法面１に固定した丸太３の直上位置に植栽穴６を掘削する
▲３▼  厚層基材吹付工＝法面１の全体に植生基盤材を吹付けて厚層基材吹付層２を形成する。
▲４▼  植栽穴掘削（その２）＝掘削した植栽穴６の部分に吹付けた植生基盤材を堀り取って除去する。
▲５▼  苗木植栽＝掘削した植栽穴６に苗木７を植え込み、植え込んだ後に堀り取った植生基盤材を客土として埋め戻す。
【０００８】
（２）「ラス張り工を施した厚層基材吹付工例」
▲１▼  丸太筋工設置＝法面１の植栽をしようとする個所に、丸太３を水平横方向に配置してアンカ−ピン５を孔４に挿通すると共に法面１に打ち込んで固定する。
▲２▼  植栽穴掘削（その１）＝法面１に固定した丸太３の直上位置に植栽穴６を掘削する
▲３▼  ラス張工＝ラス８を法面１から少し浮かして配設し、アンカ−ピン９で張設する。その浮かす高さｈは基材吹付厚さＴの略中間になるように設定する。
▲４▼  厚層基材吹付工＝法面１の全体に植生基盤材を吹付けて厚層基材吹付層２を形成する。
▲５▼  植栽穴掘削（その２）＝掘削した植栽穴６の部分に吹付けた植生基盤材を堀り取って除去する。
▲６▼  苗木植栽＝掘削した植栽穴６に苗木７を植え込み、植え込んだ後に堀り取った植生基盤材を客土として埋め戻す。
ただし、前記▲５▼の掘削穴掘削（その２）の際に苗木植栽の妨げになるラス８を切除する。
【０００９】
（３）「ネット張工を施した厚層基材吹付工例」
▲１▼  丸太筋工設置＝法面１の植栽を使用とする個所に、丸太３を水平横方向に配置してアンカ−ピン５を孔４に挿通すると共に法面に打ち込んで固定する。
▲２▼  植栽穴掘削（その１）＝法面１に固定した丸太３の直上位置に植栽穴６を掘削する
▲３▼  厚層基材吹付工＝法面１の全体に植生基盤材を吹付けて厚層基材吹付層２を形成する。
▲４▼  ネット張工＝厚層基材吹付層２の表面にネット１０を張り巡らしてアンカ−ピン１１で当該吹付層の表面に固定する。
▲５▼  植栽穴掘削（その２）＝掘削した植栽穴６の部分に吹付けた植生基盤材を堀り取って除去する。
ただし、前記▲５▼の掘削穴掘削（その２）の際に苗木植栽の妨げになるネット１０を切除する。
▲６▼  苗木植栽＝掘削した植栽穴６に苗木７を植え込み、植え込んだ後に堀り取った植生基盤材を客土として埋め戻す。
▲７▼  ネット補修＝前記▲５▼の掘削穴掘削（その２）の際に切り取った個所のネットを厚層基材吹付層２の表面に張り付ける。
【００１０】
（４）「ラス張り工とネット張り工を施した厚層基材吹付工例」
▲１▼  丸太筋工設置＝法面１の植栽を使用とする個所に、丸太３を水平横方向に配置してアンカ−ピン５を孔４に挿通すると共に法面に打ち込んで固定する。
▲２▼  植栽穴掘削（その１）＝法面１に固定した丸太３の直上位置に植栽穴６を掘削する
▲３▼  ラス張工＝ラス８を法面１から少し浮かして配設し、アンカ−ピン９で張設する。その浮かす高さｈは厚層基材吹付層厚さＴの略中間になるように設定する。
▲４▼  厚層基材吹付工＝法面１の全体に植生基盤材を吹付けて厚層基材吹付層２を形成する。
▲５▼  ネット張工＝厚層基材吹付工による厚層基材吹付層２の表面にネット１０を張り巡らしてアンカ−ピン１１を打ち込んで当該厚層基材吹付層の表面に張設する。
▲６▼  植栽穴掘削（その２）＝掘削した植栽穴６の部分に吹付けた植生基盤材を堀り取って除去する。
ただし、この掘削穴掘削（その２）の際に苗木植栽の妨げになるネット１０を切除する。
▲７▼  苗木植栽＝掘削した植栽穴６に苗木７を植え込み、植え込んだ後に堀り取った植生基盤材を客土として埋め戻す。
▲８▼  ネット補修＝前記▲６▼の掘削穴掘削（その２）の際に切り取った個所のネットを厚層基材吹付層２の表面に張り付ける。
【００１１】
【発明の効果】
本発明は上記の構成であるから、苗木等を植栽しようとする個所に当該植栽に必要な長さの丸太を設置するだけで植栽が確実に行えると共に、従来の丸太伏せ工のように法面の横方向全体に渡って設置する必要がない。また、その丸太に孔をあけてこれにアンカ−ピンを挿通して打ち込むことによって、法面に対して丸太の固定が確実となり、しかも法面の勾配が緩やかになって植物の生育に適すると共に、法面を流れる雨水が一時的に丸太上部で停滞し植栽穴の中に浸透して植栽穴の水分が増す。さらに法面に吹付けた植生基盤材の滑落の防止に役立つ。
そして、土壌硬度の硬質な法面に対しても植栽前に植栽穴を苗木に応じて適当な形に掘削しておき、植物の生育に適した植生基盤材を植栽穴の客土として利用できるので、土壌硬度及び保水性にすぐれた苗床となる。
さらに、丸太使用のため、期間の経過によって丸太は腐り土に還元する。また、土質によってアンカ−を竹串等の木質材料を用いることができるのですべて土に還元される。
また、間伐材の使用によって低コストで且つ有効利用にも役立つものである。しかも、法面の植栽穴部に吹付けられた厚層基材吹付材を客土として植栽した苗木に埋め戻すことによって客土として利用できる。そして、苗木の植栽によって根系の緊迫力によって法面の地盤強化が図れる。以上の結果、本発明によれば廃材がでないので最終的には環境面に優れ、且つ地球に優しい緑化が得られる。
【図面の簡単な説明】
【図１】  本発明工法を厚層基材吹付工に適用した縦断面図である。
【図２】  本発明工法をラス張工を施した厚層基材吹付工に適用した縦断面図である。
【図３】  本発明工法をでネット張工を施した厚層基材吹付工に適用した縦断面図である。
【図４】  本発明工法をでラス張工及びネット張工を施した厚層基材吹付工に適用した縦断面図である。
【図５】  本発明工法に用いる丸太の斜視図である。
【符号の説明】
１……法面
２……厚層基材吹付層
３……間伐材使用の丸太
４……丸太にあけた貫通孔
５……竹串を可とする木質系のアンカ−ピン
６……植栽穴
７……苗木
８……張設用ラス
９……アンカ−ピン
10……張設用ネット
11……アンカ−ピン
【図１】
0003721257.tif 000002
【図２】
0003721257.tif 000003
【図３】
0003721257.tif 000004
【図４】
0003721257.tif 000005
【図５】
0003721257.tif 000006